(57)【要約】      （修正有）【課題】コンクリート構造物の補修ないし補強する施工に使用する縦部材と横部材が同一面上に交差する格子状補強部材を固定する固定具とこれを用いた固定構造を提供する。【解決手段】断面が四角形状の縦部材１０と横部材１１が同一平面上に交差する格子状補強部材９を固定する固定具１であって、少なくとも頭部２と、頭部２に連設する軸部３とを備え、軸部３の頭部２寄りに頭部２側に向かうほど断面積が増大するテーパ状部４を設けるとともにテーパ状部４に連設し頭部２側に向かうほど断面積が減少する逆テーパ状部５を設けてなる。テーパ状部４と逆テーパ状部５の境界部に中間部またはテーパ状部４に連設する軸部３と平行に筒状部を設けてもよい。固定具１の境界部、中間部或いは筒状部を格子状補強部材９の縦部材１０および横部材１１の側面中央部領域に当接させ平面方向に緊張力を与える格子状補強部材９の固定構造。【選択図】図１
2016211236.tif 000002
【特許請求の範囲】
【請求項１】
コンクリート構造物の補修ないし補強する施工に使用する断面が四角形状の縦部材と横部材が同一平面上に交差する格子状補強部材を固定する固定具であって、
前記固定具は、少なくとも頭部と、該頭部に連設する軸部とを備え、該軸部の頭部寄りに頭部側に向かうほど断面積が増大するテーパ状部を設けるとともに該テーパ状部に連設し頭部側に向かうほど断面積が減少する逆テーパ状部を形成してなることを特徴とするコンクリート構造物における格子状補強部材の固定具。
【請求項２】
前記テーパ状部と逆テーパ状部とを連設する中間部を設けてなることを特徴とする請求項１記載のコンクリート構造物における格子状補強部材の固定具。
【請求項３】
コンクリート構造物の補修ないし補強する施工に使用する断面が四角形状の縦部材と横部材が同一平面上に交差する格子状補強部材を固定する固定具であって、
前記固定具は、少なくとも頭部と、該頭部に連設する軸部とを備え、該軸部の頭部寄りに頭部側に向かうほど断面積が増大するテーパ状部を設けるとともに該テーパ状部に連設し前記テーパ状部の頭部側端部を軸部と平行に頭部方向に延長した筒状部を設けてなることを特徴とするコンクリート構造物における格子状補強部材の固定具。
【請求項４】
前記テーパ状部と前記逆テーパ状部の境界部から頭部までの距離、前記テーパ状部と前記中間部の境界部から頭部までの距離若しくは前記テーパ状部と前記筒状部の境界部から頭部までの距離が前記格子状補強部材の厚さの略１／２に相当することを特徴とする請求項１，２または３記載のコンクリート構造物における格子状補強部材の固定具。
【請求項５】
コンクリート構造物の補修ないし補強する施工に使用する断面が四角形状の縦部材と横部材が同一平面上に交差する格子状補強部材を固定具によって固定し前記格子状補強部材を被覆する被覆材を塗工するコンクリート構造物における格子状補強部材の固定構造であって、
請求項１，２，３または４の何れかからなる前記固定具によって前記格子状補強部材を固定する際に、前記固定具のテーパ状部と逆テーパ状部の境界部、中間部或いは筒状部を前記格子状補強部材の縦部材および横部材の側面中央部領域に当接させることによって平面方向に緊張力を与えることを特徴とするコンクリート構造物における格子状補強部材の固定構造。
【請求項６】
前記固定具のテーパ状部ないし逆テーパ状部の最大径部の大きさを増減させることによって前記格子状補強部材の平面方向に与える緊張力を変化させることを特徴とする請求項５記載のコンクリート構造物における格子状補強部材の固定構造。
【発明の詳細な説明】
【技術分野】
【０００１】
本発明は、コンクリート構造物の格子状補強部材の固定具に関し、より詳細にはコンクリート構造物の補修ないし補強する施工に使用する縦部材と横部材が同一面上に交差する格子状補強部材を固定する固定具とこれを用いた固定構造に関するものである。
【背景技術】
【０００２】
従来、コンクリート構造物を補修ないし補強するには格子状の網鉄筋補強部材をコンクリート構造物の面に仮配置した後、網鉄筋補強部材に平面方向に緊張力を加えつつ網鉄筋補強部材をコンクリート構造物に固定し、その後網鉄筋補強部材の全体を樹脂モルタル等の被覆材で封止する施工がなされていた。前記網鉄筋補強部材は、通常円柱状の複数の鉄筋を縦方向と横方向にそれぞれ格子状に上下に重ね合わせて固定したものを用いていた。最近、網鉄筋補強部材に代えて断面が四角形状の縦部材と横部材が同一平面上に直交ないし斜めに交差する格子状補強部材がコンクリート構造物の補修ないし補強材として注目されている。従来の網鉄筋補強部材が現場での鉄筋の曲げ・溶接加工が必要であるのに対して前記格子状補強部材の場合は現場での加工が不要であるばかりでなく、縦部材と横部材が同一平面上に交差するために、従来の網鉄筋補強部材に比較して樹脂モルタル等の被覆材の使用量を削減できるメリットがある。一方、従来の網鉄筋補強部材に用いられる固定具として特許文献１記載の発明が開示されている。また、縦部材と横部材が同一平面上にある補強用格子材と固定具についての発明が特許文献２に開示されている。
【先行技術文献】
【特許文献】
【０００３】
【特許文献１】特開平０８−２２６１０７号公報
【特許文献２】特開平０９−２９１７０８号公報
【発明の概要】
【発明が解決しようとする課題】
【０００４】
特許文献１に記載される従来の網鉄筋補強部材を固定する固定具は、図４に示すように先端に割溝を形成したコンクリート構造物内に挿入される挿入部と、この挿入部に連接された皿状の頭部とを備え、前記挿入部の頭部寄りに頭部側に向かって連続的に断面が拡大するテーパ状部４を備えたアンカー本体からなる。また、図５（ｂ）に示すように、従来の網鉄筋補強部材９’は円柱状の複数の鉄筋を縦方向と横方向にそれぞれ格子状に重ね合わせて固定した交差部を前記テーパ付き固定具で固定する場合に、縦横何れか一方（縦部材１０’）の円柱状鉄筋が固定具１’の頭部側の太径テーパ状部に当接し、他方（横部材１１’）の円柱状鉄筋は先端寄りの細径テーパ部に当接した状態で固定されることとなる。図５（ｂ）に示すように、固定具のテーパ付きアンカーピン１’がやや上方に移動した状態で係止されている。その結果、図５（ｂ）の矢印線に示すように縦部材１０’と横部材１１’の緊張力に平面方向のアンバランスが生じることとなる。
【０００５】
これに対して、本願発明に用いられる格子状補強部材９は断面が四角形状の縦部材１０と横部材１１が同一平面上に交差することから、縦部材１０と横部材１１が同一径のテーパ状部に当接するので、図５（ａ）に示すように縦部材１０と横部材１１の緊張力に平面方向のアンバランスが生じることがない。しかし、図４に示すように、前記格子状補強部材９の交差部を従来のテーパ付きアンカーピン１’で固定しようとすると格子状補強部材９の縦部材１０および横部材１１の角部がアンカーピン１’のテーパ状部に当接することとなる。このように、縦部材１０および横部材１１の角部がアンカーピン１’のテーパ状部に当接することによって、格子状補強部材９はアンカーピン１’のテーパ状部に当接した面には平面方向の緊張力を与えるが反対面には緊張力を与えないことから格子状補強部材９の当接側面と非当接側面とにおいて緊張力のアンバランスを生ずることとなる。このように側面における緊張力のアンバランスを長時間継続すると金属破壊をまねく原因ともなり好ましくない。一方、縦部材１０および横部材１１の側面中央部領域にアンカーピン１’のテーパ状部が当接する場合は両側面側にも均等に緊張力が伝搬してバランスのとれた平面方向の緊張力が付加される。
【０００６】
また、特許文献２に記載される補強用格子材は縦部材と横部材が同一平面上にある点においては本願発明に用いられる格子状補強部材と共通する。しかし、特許文献２に記載される発明は、前記補強用格子材を形成する縦部材と横部材の交差部に形成したガイド斜面とこのガイド斜面に当接する補助具とで構成され、前記補助具の取付孔にアンカーを挿入してコンクリート構造物に打ち込んで補助具がガイド斜面に沿って移動することによって格子材に平面方向の緊張力を与えることができる点において本願発明とは構成が全く異なる。
【０００７】
そこで、本願発明者は鋭意研究を重ねて、従来のテーパ付き固定具において前記テーパ状部の途中に連設する頭部側に向かうほど軸部の断面積が減少する逆テーパ状ないし軸部の断面積が前記テーパ状部の断面積と同面積の筒状部を形成し、このテーパ状部と逆テーパ状部の境界部（中間部）ないし筒状部を格子状補強部材の縦部材と横部材の側面中央部領域に当接させ、いわゆる部材同士が芯をとらえて当接することにより前記格子状補強部材を確実に固定し且つ前記格子状補強部材の全面に渡ってバランス良く平面方向に緊張力を与えることを知見して本願発明に想到したものであり、本願発明の主たる目的は前記問題点を解消し、前記格子状補強部材の全面に渡ってバランスよく平面方向に緊張力を与えることによってコンクリート構造物の曲げや剪断に対する補強と補修における作業効率を向上させて経済的で安全なコンクリート構造物の格子状補強部材の固定具とこれを用いた固定構造を提供することにある。
【課題を解決するための手段】
【０００８】
前記の課題を解決するために、本発明は、コンクリート構造物の補修ないし補強する施工に使用する断面が四角形状の縦部材と横部材が同一平面上に交差する格子状補強部材を固定する固定具であって、
前記固定具は、少なくとも頭部と、該頭部に連設する軸部とを備え、該軸部の頭部寄りに頭部側に向かうほど断面積が増大するテーパ状部を設けるとともに該テーパ状部に連設し頭部側に向かうほど断面積が減少する逆テーパ状部を形成してなることを特徴とするコンクリート構造物の格子状補強部材の固定具とする。
【０００９】
また、前記の課題を解決するために、本発明は、前記テーパ状部と逆テーパ状部とを連設する中間部を設けてなることを特徴とする前記のコンクリート構造物の格子状補強部材の固定具とすることが好ましい。
【００１０】
また、前記の課題を解決するために、本発明は、コンクリート構造物の補修ないし補強する施工に使用する断面が四角形状の縦部材と横部材が同一平面上に交差する格子状補強部材を固定する固定具であって、
前記固定具は、少なくとも頭部と、該頭部に連設する軸部とを備え、該軸部の頭部寄りに頭部側に向かうほど断面積が増大するテーパ状部を設けるとともに該テーパ状部に連設し前記テーパ状部の頭部側端部を軸部と平行に頭部方向に延長した筒状部を設けてなることを特徴とするコンクリート構造物の格子状補強部材の固定具とする。
【００１１】
また、前記の課題を解決するために、本発明は、前記テーパ状部と前記逆テーパ状部の境界部から頭部までの距離、前記テーパ状部と前記中間部の境界部から頭部までの距離若しくは前記テーパ状部と前記筒状部の境界部から頭部までの距離が前記格子状補強部材の厚さの略１／２に相当することを特徴とする前記のコンクリート構造物の格子状補強部材の固定具とすることが好ましい。
【００１２】
また、前記の課題を解決するために、本発明は、コンクリート構造物の補修ないし補強する施工に使用する断面が四角形状の縦部材と横部材が同一平面上に交差する格子状補強部材を固定具によって固定し前記格子状補強部材を被覆する被覆材を塗工するコンクリート構造物における格子状補強部材の固定構造であって、
前記何れかからなる前記固定具によって前記格子状補強部材を固定する際に、前記固定具のテーパ状部と逆テーパ状部の境界部、中間部或いは筒状部を前記格子状補強部材の縦部材および横部材の側面中央部領域に当接させることによって平面方向に緊張力を与えることを特徴とするコンクリート構造物における格子状補強部材の固定構造とすることが好ましい。
【００１３】
また、前記の課題を解決するために、本発明は、前記固定具のテーパ状部ないし逆テーパ状部の最大径の大きさを増減させることによって前記格子状補強部材の平面方向に与える緊張力を変化させることを特徴とする前記のコンクリート構造物の格子状補強部材の固定構造とすることが好ましい。
【発明の効果】
【００１４】
本願発明のコンクリート構造物の格子状補強部材の固定具とこれを用いた固定構造は、断面が四角形状の縦部材と横部材が同一平面上に交差する格子状補強部材を使用し、しかも、前記格子状補強部材を固定する固定具がテーパ状部とこれに連設する逆テーパ状部からなり、このテーパ状部と逆テーパ状部の境界部を格子状補強部材の縦部材と横部材の交差する側面中央部領域に、いわゆる部材同士の芯をとらえて当接させることによって、格子状補強部材の全面に渡ってバランスよく平面方向に緊張力を与えてコンクリート構造物の曲げや剪断によるひび割れ等を防ぐ補強と補修の効果を奏することができる。また、従来の網鉄筋補強部材のように現場での鉄筋の曲げ・溶接加工が不要なことから作業効率が向上する。樹脂モルタル等の被覆材を薄くして該被覆材の使用量を削減できるので経済的である。
【図面の簡単な説明】
【００１５】
【図１】本発明の第１実施の形態に係る固定具とこれを用いた固定構造を示す説明図である。
【図２】本発明の第２実施の形態に係る固定具とこれを用いた固定構造を示す説明図である。
【図３】本発明の第３実施の形態に係る固定具とこれを用いた固定構造を示す説明図である。
【図４】格子状補強部材を従来のテーパ付き固定具（アンカーピン）で固定した固定構造を示す説明図である。
【図５】（ａ）は本願発明に係る固定具を用いて格子状補強部材を固定した場合に格子状補強部材に生ずる緊張力を示す説明図であり、（ｂ）は従来のテーパ付き固定具を用いて網鉄筋補強部材を固定した場合に網鉄筋補強部材に生ずる緊張力を示す説明図である。
【図６】グリッドメタル（登録商標）を固定したはりの載荷試験による実験結果を表わすグラフ図である。
【発明を実施するための形態】
【００１６】
本願発明を実施するための形態（以下「実施の形態」と称する）について、以下に詳細に説明する。しかし、本願発明は、かかる実施の形態に限定されるものではない。
【００１７】
本願発明の第１実施の形態において、図１に示すように、コンクリート構造物Ｃの補修ないし補強する施工に使用する断面が四角形状の縦部材１０と横部材１１が同一平面上に交差する格子状補強部材９を固定する固定具１であって、
前記固定具１は、少なくとも頭部２と、該頭部２に連設する軸部３とを備え、該軸部３の頭部寄りに頭部側に向かうほど断面積が増大するテーパ状部４を設けるとともに該テーパ状部４に連設し頭部側に向かうほど断面積が減少する逆テーパ状部５を形成してなることを特徴とする。なお、前記逆テーパ状部５の頭部２との境界面における断面積は強度を保持する観点から前記軸部３の中央部の断面積と同じか中央部の断面積よりも大きい方が好ましい。
【００１８】
前記格子状補強部材９としては、格子状に加工した断面が四角形状の縦部材１０と横部材１１が同一平面上に交差する鋼板からなるものが好ましい。例えば、ＪＦＥシビル株式会社製ないし販売のグリッドメタル（登録商標）は、縦部材１０と横部材１１が直角方向に交差するもの（Ｂ型）と斜め方向に交差するもの（Ａ型）があり、床版補強用には前者、梁補強用には後者を使い分けすることも可能である。何れも裏面及び側面に凹凸がついておりエポキシ樹脂系塗料等で塗装を施してあることから補強部材を被覆する被覆材である樹脂モルタルとの絡み合わせがよく、本願発明の固定具１を打ち込むことにより格子部材に平面方向の緊張力を確実に発生ないし伝達し、更に耐食性に優れ塩害の多い場所での使用にも威力を発揮する特徴がある。板厚は６．０〜１３．０ｍｍ（縞鋼板、構造用  ＳＳ４００相当）、６．０〜１６．０ｍｍ（ＪＩＳ  Ｇ３１０１、Ｇ３１０６）等がある。
【００１９】
図１は請求項１記載の発明を含む第１実施の形態に係る固定具１がコンクリート構造物Ｃに打ち込まれた状態を示す。固定具１は格子状補強部材９の縦部材１０と横部材１１の交差部に位置し、テーパ状部４と逆テーパ状部５の境界部６から頭部２までの距離が格子状補強部材９の厚さの略１／２に形成すれば、前記テーパ状部と逆テーパ状部の境界部６と、格子状補強部材９の側面中心部（Ｌ２）を含む側面中央部領域と、が互いに緊張力の作用点部となり、いわゆる部材同士の芯をとらえて当接させることによって緊張力を平面方向に確実に発生ないし伝達することができるので好ましい。また、前記側面中央部領域を格子状補強部材９の交差側面部を上下方向に３等分した中心部を含む区分とし、該側面中央部領域に前記テーパ状部４と逆テーパ状部５の境界部６、中間部８または筒状部７が当接するようにすれば両側面側にも均等に緊張力が伝搬してバランスのとれた平面方向の緊張力が付加されるのでより好ましい。なお、本図においては軸部本体の軸心方向に穿孔される貫通孔と該貫通孔に挿入される固定用の打ち込みピン等の記載は省略した。以下、図２及び図３においても同様である。
【００２０】
図２は請求項２記載の発明を含む第２実施の形態に係る固定具１がコンクリート構造物Ｃに打ち込まれた状態を示す。本実施の形態に係る固定具１は、第１実施の形態に係る固定具１において、前記テーパ状部４と逆テーパ状部５との間に前記軸部と平行状（８）ないし例えばピストンリング状等（図示せず）からなる中間部８を設けてなる。該中間部８が格子状補強部材９の側面中心部（Ｌ２）を含む領域、即ち側面中央部領域（Ｌ２〜Ｌ３）に当接するように設けることにより、前記中間部８と側面中央部領域とが互いに緊張力の作用点部となり、いわゆる部材同士の芯をとらえて当接させることによって緊張力を平面方向に確実に発生ないし伝達することができるのでより好ましい。
【００２１】
図３は請求項３記載の発明を含む第３実施の形態に係る固定具１がコンクリート構造物Ｃに打ち込まれた状態を示す。本実施の形態に係る固定具１は、第１実施の形態に係る固定具１において、前記テーパ状部に連設し前記テーパ状部の頭部側端部を軸部と平行に頭部方向に延長した筒状部７を設けてなる。該筒状部７が格子状補強部材９の側面中心部（Ｌ２）を含む領域、即ち側面中央部領域（Ｌ２〜Ｌ４）に当接するように設けることにより、前記筒状部７と側面中央部領域とが互いに緊張力の作用点部となり、いわゆる部材同士の芯をとらえて当接させることによって緊張力を平面方向に確実に発生ないし伝達することができるのでより好ましい。
【００２２】
一方、図４は前記格子状補強部材の交差部に従来のテーパ付き固定具（アンカーピン１’）が打ち込まれた状態を示す。図４に示すとおり前記固定具の頭部側テーパ状部と格子状補強部材を構成する縦部材ないし横部材の上方角部とが当接する状態において、格子状補強部材９はアンカーピン１’のテーパ状部に当接した面は平面方向の緊張力を生ずるが反対面には緊張力を生じないことから格子状補強部材９の側面方向に緊張力のアンバランスを生ずることとなる。この点、本実施の形態に係る固定具１の場合は、固定具１のテーパ状部と逆テーパ状部の境界部６、中間部８ないし筒状部７が格子状補強部材の側面中央部領域に当接するので、いわゆる固定具と格子状補強部材同士の芯をとらえた当接態様となり前記格子状補強部材を確実に固定し且つ前記格子状補強部材の全面に渡ってバランス良く平面方向に緊張力を与えることができる。
【００２３】
前記固定具１は、格子状補強部材９の厚みや大きさによるが、軸部３が５０〜８０ｍｍ、テーパ状部４が１０〜３０ｍｍ、逆テーパ状部５が２〜１０ｍｍのものが適当である。中間部８と筒状部７は格子状補強部材９の前記板厚の中央部を含む範囲に当接するように設けることが好ましい。
【００２４】
本願発明に係る固定具は、軸部の中央から頭部寄りに頭部側に向かうほど断面積が増大するテーパ状部を設けるとともに該テーパ状部に連設し頭部側に向かうほど断面積が減少する逆テーパ状部を設け、該テーパ状部と逆テーパ状部の中間に中間部を設け、或いは前記テーパ状部の頭部側端部を軸部と平行に頭部方向に延長した筒状部を設けることに特徴を有するものであり、前記何れかの特徴を有する限りあらゆるアンカー、アンカーピンないしアンカーボルト等と称される固定具に適用可能である。例えば、本願発明の第１〜第３実施の形態における軸部３の先端からテーパ状部４に至るまでの外周部に雄ネジを形成したものも本願発明に含まれる。また、前記雄ネジがネジ山の高さが異なる２種類の雄ネジを交互に組み合わせて形成したものや頭部をボルト・ナット式に代えたもの等も本願発明の固定具に含まれ、該固定具を用いたコンクリート構造物の固定構造も本願発明に含まれる。
【００２５】
また、前記鋼板以外にカーボン繊維やガラス繊維ないしアラミド繊維などの連続繊維に樹脂を含浸させながら格子状に一体成形したネフコム株式会社販売のネフコム（登録商標）も本願発明の格子状補強部材として使用可能である。なお、この格子状部材は交差部が面状繊維を交互にラミネートした構造からなり断面が四角形で結束力に優れ引張強度がＰＣ鋼材撚り線に匹敵し鉄筋の４〜５倍あること等から鋼板製の格子状補強部材と同様に平面方向の緊張力を発生可能である。
【００２６】
次に、本願発明の固定具によって格子状補強部材をコンクリート構造物に固定する方法について説明する。まず、格子状補強部材９を仮配置した状態で縦部材１０と横部材１１の交差部に沿ってコンクリート構造物Ｃのコンクリート床版に固定具１の挿入穴を穿設する。そして、この挿入穴に固定具１を挿入し、ハンマーによって打ち込み格子状補強部材９をコンクリート床版に固定する。固定具１を打ち込む位置は従来のテーパ付きアンカーピン１’と同様に格子状補強部材９の中央から広げるように固定具１を打設すればよい。固定具１を打ち込むことにより、テーパ状部４と逆テーパ状部５の境界部６を縦部材１０と横部材１１の交差する側面部の中央部領域に、いわゆる部材同士の芯をとらえて当接させることによってテーパ状部４が楔の如く作用して格子状補強部材９の全体に平面方向に縦方向と横方向にバランス良く緊張力が付加されることになる。ついで、既設床版のひび割れ等ある場合には低粘度のエポキシ樹脂を注入する。さらに、前記格子状補強部材９を覆うようにして樹脂モルタルを充填する。グリッドメタル（登録商標）は樹脂モルタルと一体化する。また、グリッドメタル（登録商標）自体が樹脂系塗料で塗装してあるので改めて錆防止剤を塗布する手間が省ける。
【００２７】
ここで、参考例として、ＪＦＥシビル株式会社と日本大学生産工学部がグリッドメタル（登録商標）をストレート状アンカーピンにて固定した、はりの載荷試験による実験結果をタテ軸が荷重（ｋＮ）とヨコ軸が撓み（ｍｍ）で表したグラフ（ＪＦＥシビル株式会社発行の「グリッドメタル」より引用）を図６に示す。
【００２８】
前記グラフにおいて、Ａ、Ｂ及びＣは縦部材と横部材が斜め方向に交差するＡ型グリッドメタル（登録商標）を用いた実験例であり、Ｄは縦部材と横部材が直角方向に交差するＢ型グリッドメタル（登録商標）を用いた実験例であり、基本形は補強をしない比較例である。このグラフから、補強したＡ、Ｃ、Ｄは補強しない基本形に比較して何れも撓みが小さいことが確認された。
【産業上の利用可能性】
【００２９】
本願発明に係るコンクリート構造物の曲げや剪断に対する補強と補修における作業効率を向上させて経済的で安全なコンクリート構造物とする格子状補強部材の固定具とこれを用いた固定構造を提供することによりコンクリート構造物の老朽化を防ぎ耐久性の向上を図ることによって安全性の確保と産業の発展に大いに貢献する。
【符号の説明】
【００３０】
１    固定具
１’  固定具（テーパ付きアンカーピン）
２    頭部
３    軸部
４    テーパ状部
５    逆テーパ状部
６    テーパ状部と逆テーパ状部の境界部（中間部）
７    筒状部
８    中間部
９    格子状補強部材
１０  縦部材
１１  横部材
９’  網鉄筋補強部材
１０’縦部材
１１’横部材
Ｌ１  テーパ状部とストレート状部の境界部
Ｌ２  側面中心部
Ｌ３  中間部と逆テーパ状部の境界部
Ｌ４  側面表面部（頭部裏面）
Ｃ    コンクリート構造物
【図１】
2016211236.tif 000003
【図２】
2016211236.tif 000004
【図３】
2016211236.tif 000005
【図４】
2016211236.tif 000006
【図５】
2016211236.tif 000007
【図６】
2016211236.tif 000008